(57)【要約】      （修正有）【課題】各商品の容量に合わせて容易に大きさを変えることができ人目を惹く商品受け籠装置を提供する。【解決手段】左右一対のアーム部分と、このアーム部分の長さ方向両端に対して直角に繋がるアーム部分とからなる枠体であるフレーム７と、このフレーム７の周囲を形成するアーム部分に対し周囲が結合されるネット体である網部材８とから構成され、フレーム７がフックバー２に係止されるようにした商品受け籠装置１であり、フレーム７の左右一対のアーム部分に繋がるアーム部分は長さ調整可能に構成されているので、各商品の容量に合わせて容易に大きさを変えることができ人目を惹く商品受け籠装置１とすることができる。【選択図】図１
0003162804.tif 000002
【実用新案登録請求の範囲】
【請求項１】
左右一対のアーム部分と、このアーム部分の長さ方向両端に対して直角に繋がるアーム部分とからなる枠体と、この枠体の周囲を形成するアーム部分に対し周囲が結合されるネット体とから構成され、前記枠体がフックバーに係止されるようにした商品受け籠装置であり、前記枠体の左右一対のアーム部分に繋がるアーム部分は長さ調整可能に構成されていることを特徴とする商品受け籠装置。
【考案の詳細な説明】
【技術分野】
【０００１】
本考案は、スーパーマーケット等の商品陳列棚に設置される商品受け籠装置に関する技術である。
【背景技術】
【０００２】
特許文献１には、両側部を開放した網棚本体と、支柱から前方へ延びて網棚本体の両側部を下方から支持する横断面略Ｕ字型のアームと、複数の網棚本体を横一線に並べたときに、その両側部および途中の任意位置に着脱自在に取り付ける仕切り板とからなる商品陳列用網棚が記載されている。
【先行技術文献】
【特許文献】
【０００３】
【特許文献１】実用新案登録第３０８９４６８号
【考案の概要】
【考案が解決しようとする課題】
【０００４】
陳列棚に陳列する商品の種類あるいは数量を変えたい場合があるが、特許文献１に記載される商品陳列用網棚では、商品の数量に合わせて網棚本体の大きさを変えることができないので、大きいサイズの商品を陳列する場合や陳列する商品の数量を増やしたい場合には対応することができず、また陳列する商品を小さいサイズに変えた場合や商品の数量を減らしたい場合には網棚に空きスペースができてしまい外観を損ねる。
【０００５】
本考案の目的はこのような課題を解決するもので、各商品の容量に合わせて容易に大きさを変えることができ人目を惹く商品受け籠装置を提供することである。
【課題を解決するための手段】
【０００６】
この課題を解決するために本考案は、左右一対のアーム部分と、このアーム部分の長さ方向両端に対して直角に繋がるアーム部分とからなる枠体と、この枠体の周囲を形成するアーム部分に対し周囲が結合されるネット体とから構成され、前記枠体がフックバーに係止されるようにした商品受け籠装置であり、前記枠体の左右一対のアーム部分に繋がるアーム部分は長さ調整可能に構成されていることを特徴とする。
【考案の効果】
【０００７】
枠体の左右一対のアーム部分に繋がるアーム部分は長さ調整可能に構成されているので、各商品の容量に合わせて容易に大きさを変えることができ人目を惹く商品受け籠装置とすることができる。
【図面の簡単な説明】
【０００８】
【図１】フックバー２に固定した商品受け籠装置１の斜視図である。
【図２】複数の商品受け籠装置１を陳列棚３に設置した状態の斜視図である。
【図３】深さを浅くした商品受け籠装置４の斜視図である。
【図４】係合片２０の貫通孔２１をホック６に嵌め込む手順を示す概略図である。
【図５】フレーム７の連結部を示す外観図である。
【図６】商品受け籠装置４を陳列棚３に設置した状態の斜視図である。
【考案を実施するための形態】
【０００９】
以下、本考案の第１の実施形態に係る商品受け籠装置１，４について図１〜図６に基づいて説明する。図１は、フックバー２に固定した商品受け籠装置１の斜視図である。図２は、複数の商品受け籠装置１を陳列棚３に設置した状態の斜視図である。図３は、深さを浅くした商品受け籠装置４の斜視図である。図４は、係合片２０の貫通孔２１をホック６に嵌め込む手順を示す概略図である。図５は、フレーム７の連結部を示す外観図である。図６は、商品受け籠装置４を陳列棚３に設置した状態の斜視図である。
【００１０】
商品受け籠装置１は、フレーム７と、フレーム７に取り付けられ商品が配置される網部材８とを備える。フレーム７は金属製であり、第１部材９と第２部材１０とを備える。第１部材９は、丸棒をコの字状に曲げ加工したものであり、第２部材１０は、コの字状に曲げ加工した丸棒の両端に筒状のパイプ１１を溶接したものである。各々のパイプ１１の側面には、図５に示すように、丸孔１２および丸孔１３が開口部側からこの順番で形成されており、さらにねじ孔１４が設けられている。第２部材１０のパイプ１１に第１部材９の端部が嵌合された状態で、ねじ孔１４に固定ねじ１５を螺合して第１部材９と第２部材１０とが連結される。
【００１１】
第１部材９を第２部材１０のパイプ１１に挿入していき、第１部材９の端部が丸孔１２の位置に合った状態で固定ねじ１５で固定すると、第１部材９の嵌合深さを浅い位置で揃えることができ、フレーム７は幅広に形成される。第１部材９をさらに挿入していき、第１部材９の端面を奥側の丸孔１３の位置に合わせた状態で固定ねじ１５で固定すると、第１部材９の嵌合深さを深い位置で揃えることができ、フレーム７を幅狭に形成することができる。
【００１２】
このように第１部材９の嵌合深さを２段階に変更して、容易にフレーム７幅を調整することができる。本実施例においては幅方向の調整について説明してきたが、これに限定されるものではない。フレーム７は、幅方向と直交する前後方向についても同様に調整可能とすることができる。フレーム７の前後方向の長さを調整可能とすると、たとえば陳列棚３の上段に配置する商品受け籠装置１の前後方向を狭くし、下段に配置される商品受け籠装置１の前後方向を長くすることができ、下段の商品に上段の商品受け籠装置１が被さって下段の商品が見えにくくなることを防止することができる。
【００１３】
フレーム７の前後方向奥側の一辺には、断面がコの字状の金属製フック１６が２箇所設けられる。陳列棚３には板状の金属製フックバー２が水平方向に取り付けられており、商品受け籠装置１，４は、フック１６をフックバー２に係合させた状態で陳列棚３に設置される。フック１６をフレーム７に取り付ける取り付け角度は、たとえばフック１６をフックバー２に固定したときに商品受け籠装置１，４に展示した商品が斜め上方に向く角度とされる。本実施例においては、フック１６角度は固定としたが、商品受け籠装置１，４が設置される陳列棚３の高さに合わせて角度調節が可能とすることもできる。この場合には、商品受け籠装置１，４の設置高さに関係なく商品を見やすい角度に展示することができる。さらに商品受け籠装置１，４を隣接して複数個配置し、また上下複数の陳列棚３に配置すると、いっそう人目を惹きやすい華やかな印象を与える配置とすることができる。
【００１４】
網部材８は、概ねアーチ状の底面部１７と、底面部１７の両側面を形成する側面部１８を備える。いずれも網状の布地である底面部１７と側面部１８とは、縫合されて袋状に形成される。側面部１８側の開口端部には、各々布地１９が縫合される。布地１９は、コの字形に形成された第１部材９および第２部材１０の奥側の辺を覆って折り返された状態でホック止めされる。
【００１５】
底面部１７の前後方向端部は、第１部材９と第２部材１０とが連結される辺に、間隔を開けて夫々３箇所ホック止めされる。このように間隔を開けてホック止めしていると、フレーム７の幅を狭めた場合にホック止めした布地が撓んで外観を損ねることを防止することができる。
【００１６】
底面部１７の両側には、樹脂製の薄板で形成され貫通孔２１が設けられた係合片２０が縫い付けられている。図４に示すように、各々係合片２０の貫通孔２１をホック６に嵌め込んだ状態でホック６を止めることによって、底面部１７を引き上げて網部材８の深さを浅くすることができる。
【００１７】
このようにすると、たとえば陳列する商品が少量の飴などであっても、商品が網部材８の底に沈みこむことがなく人目を惹きやすい展示とすることができる。また、係合片２０として透明な薄板を用いると、係合片２０が目立たなくなりすっきりとした印象を与えることができる。フレーム７を覆う布地部分は、赤、青などの色彩を付けることによって、商品受け籠装置１，４を人の目を惹きやすくすることができる。
【００１８】
このように、左右一対のアーム部分と、このアーム部分の長さ方向両端に対して直角に繋がるアーム部分とからなる枠体であるフレーム７と、このフレーム７の周囲を形成するアーム部分に対し周囲が結合されるネット体である網部材８とから構成され、フレーム７がフックバー２に係止されるようにした商品受け籠装置１，４であり、フレーム７の左右一対のアーム部分に繋がるアーム部分は長さ調整可能に構成されているので、各商品の容量に合わせて容易に大きさを変えることができ人目を惹く商品受け籠装置１，４とすることができる。
【符号の説明】
【００１９】
１，４    商品受け籠装置
２    フックバー
３    陳列棚
６    ホック
７    フレーム
８    網部材
９    第１部材
１０    第２部材
１１    パイプ
１２，１３    丸孔
１４    ねじ孔
１５    固定ねじ
１６    フック
１７    底面部
１８    側面部
１９    布地
２０    係合片
２１    貫通孔
【図１】
0003162804.tif 000003
【図２】
0003162804.tif 000004
【図３】
0003162804.tif 000005
【図４】
0003162804.tif 000006
【図５】
0003162804.tif 000007
【図６】
0003162804.tif 000008